(57)【要約】【課題】  機密性を要する画データについて、ＬＡＮを介して所定の宛先に転送された後においても、その機密性を維持することが可能な通信装置を提供する。【解決手段】  画データと、画データの蓄積先を識別する識別子と、画データの蓄積の可否に関する蓄積パスワードと、画データの表示の可否に関する閲覧パスワードとを受信する受信手段と、受信手段により受信した画データを受信画として蓄積する受信画記憶領域と、受信画の転送宛先を保持する転送宛先保持部と、受信画の利用の可否に関する利用パスワードを保持する利用パスワード保持部と、蓄積パスワード、利用パスワード、又は閲覧パスワードのうち少なくとも二つのパスワードの組を暗号化パスワードとして生成する暗号化パスワード生成手段と、暗号化した受信画を所定の形式の電子ファイルに変換するフォーマット変換手段と、電子ファイルを転送宛先に転送する転送手段とを有する通信装置。【選択図】  図１
2014007512.tif 000002
【特許請求の範囲】
【請求項１】
画データと、該画データの蓄積先を識別する識別子と、該画データの蓄積の可否に関する蓄積パスワードと、該画データの所定の表示手段を介した表示の可否に関する閲覧パスワードとを受信する受信手段と、
前記識別子に関連づけられ、前記受信手段により受信した前記画データを受信画として蓄積する受信画記憶領域と、
前記受信画の転送宛先を前記受信画記憶領域に関連づけて保持する転送宛先保持部と、
前記蓄積パスワードを前記受信画記憶領域に関連づけて保持する蓄積パスワード保持部と、
前記受信画の利用の可否に関する利用パスワードを前記受信画記憶領域に関連づけて保持する利用パスワード保持部と、
前記蓄積パスワード、前記利用パスワード、又は前記閲覧パスワードのうち少なくとも二つのパスワードの組を暗号化パスワードとして生成する暗号化パスワード生成手段と、
前記受信画を前記暗号化パスワードにより暗号化するとともに、所定の形式の電子ファイルに変換するフォーマット変換手段と、
前記電子ファイルを転送に適した形式に変換し前記転送宛先に転送する転送手段とを有すること
を特徴とする通信装置。
【請求項２】
前記暗号化パスワード生成手段は、前記暗号化パスワードの生成に用いた前記蓄積パスワード、前記利用パスワード、又は前記閲覧パスワードの使用情報、並びにその使用量に関する情報を生成すること
を特徴とする請求項１記載の通信装置。
【請求項３】
前記識別子は、ＩＴＵ−Ｔ．３０に示されたＳＵＢコマンドに含まれること
を特徴とする請求項１記載の通信装置。
【請求項４】
前記蓄積パスワードは、ＩＴＵ−Ｔ．３０に示されたＳＩＤコマンドに含まれること
を特徴とする請求項１記載の通信装置。
【請求項５】
前記閲覧パスワードは、ＩＴＵ−Ｔ．３０に示されたＴＳＩコマンドに含まれること
を特徴とする請求項１記載の通信装置。
【請求項６】
前記電子ファイルの形式は、ＰＤＦであること
を特徴とする請求項１記載の通信装置。
【請求項７】
前記転送手段は、電子メール送信手段であること
を特徴とする請求項１記載の通信装置。
【請求項８】
前記蓄積パスワードは、受信者が任意に設定可能であること
を特徴とする請求項１記載の通信装置。
【請求項９】
前記利用パスワードは、受信者が任意に設定可能であること
を特徴とする請求項１記載の通信装置。
【発明の詳細な説明】
【技術分野】
【０００１】
本発明は、通信装置に関するものである。
【背景技術】
【０００２】
従来から、公衆電話網（ＰＳＴＮ：Public Switched Telephone Network）や、サービス総合ディジタル網（ＩＳＤＮ：Integrated Services Digital Network）を介して受信した画データを所定の記憶領域に一旦記憶し、ＬＡＮ（Local Area Network）を介して所定の宛先に転送するとともに、所定の記憶領域に関連付けられたパスワードの入力を受けて、該画データに基づく画像を適当な記録媒体に印刷する装置が知られている（例えば、特許文献１参照）。
【先行技術文献】
【特許文献】
【０００３】
【特許文献１】特開２００７−２８６８８号公報
【発明の概要】
【発明が解決しようとする課題】
【０００４】
しかしながら、従来の技術では、ＬＡＮを介して所定の宛先に画データを転送する場合、ＬＡＮの通信経路上、並びに転送後、受信した画データの保護に関しては特別な配慮がなされておらず、該画データの機密性の維持について改善の余地があった。
【０００５】
本発明は、このような実情に鑑みてなされたものであり、本発明の課題は、機密性を要する画データについて、ＬＡＮを介して所定の宛先に転送された後においても、その機密性を維持することが可能な通信装置を提供することである。
【課題を解決するための手段】
【０００６】
上記課題を解決するために、本発明に係る通信装置は、画データと、該画データの蓄積先を識別する識別子と、該画データの蓄積の可否に関する蓄積パスワードと、該画データの所定の表示手段を介した表示の可否に関する閲覧パスワードとを受信する受信手段と、前記識別子に関連づけられ、前記受信手段により受信した前記画データを受信画として蓄積する受信画記憶領域と、前記受信画の転送宛先を前記受信画記憶領域に関連づけて保持する転送宛先保持部と、前記蓄積パスワードを前記受信画記憶領域に関連づけて保持する蓄積パスワード保持部と、前記受信画の利用の可否に関する利用パスワードを前記受信画記憶領域に関連づけて保持する利用パスワード保持部と、前記蓄積パスワード、前記利用パスワード、又は前記閲覧パスワードのうち少なくとも二つのパスワードの組を暗号化パスワードとして生成する暗号化パスワード生成手段と、前記受信画を前記暗号化パスワードにより暗号化するとともに、所定の形式の電子ファイルに変換するフォーマット変換手段と、前記電子ファイルを転送に適した形式に変換し前記転送宛先に転送する転送手段とを有することを特徴としている。
【発明の効果】
【０００７】
本発明によれば、機密性を要する画データについて、ＬＡＮを介して所定の宛先に転送された後においても、その機密性を維持することが可能な通信装置を提供することができる。
【図面の簡単な説明】
【０００８】
【図１】通信装置の構成を説明するブロック図である。
【図２】受信画記憶部の構成を説明するブロック図である。
【図３】パスワードの組み合わせ設定を説明するブロック図である。
【図４】送信端末における送信動作を説明するフローチャートである。
【図５】通信装置における受信動作を説明するフローチャートである。
【図６】図５のステップＳ５０７における、暗号化パスワード生成部による暗号化パスワードの生成動作を説明するフローチャートである。
【図７】暗号化パスワード生成部が、蓄積パスワード、利用パスワード、又は閲覧パスワードのうち二つを順に連結して暗号化パスワードを生成する動作を説明するフローチャートである。
【図８】暗号化パスワード生成部が、蓄積パスワード、利用パスワード、及び閲覧パスワードの全てを順に連結して暗号化パスワードを生成する動作を説明するフローチャートである。
【図９】操作部が、パスワードの組み合わせ設定の入力を受付ける際に表示手段に表示させる表示画面の一例を示す図である。
【図１０】パスワードの組み合わせ設定の入力を受けての動作を説明するフローチャートである。
【図１１】生成した暗号化パスワードの例を説明する図である。
【図１２】各部での入力データと出力データとの関係を表すデータフローである。
【図１３】暗号化パスワードの生成に使用された蓄積パスワードについての情報を電子メール本文に記載する動作を説明するフローチャートである。
【図１４】電子メール本文に記載された蓄積パスワード、利用パスワード、及び閲覧パスワードに関する情報の例を示す図である。
【図１５】各部での入力データと出力データとの関係を表すデータフローである。
【発明を実施するための形態】
【０００９】
以下、本発明の実施形態について図面を参照して説明する。なお、本発明は以下の記述に限定されるものではなく、本発明の要旨を逸脱しない範囲において適宜変更可能である。
【００１０】
［第１の実施形態］
本実施形態の説明においては、本発明が適用された通信装置が、公衆電話網を介して送信端末、及びＬＡＮを介して転送先端末に接続された形態について説明する。
【００１１】
図１は、本実施形態に係る通信装置１０の構成を説明するブロック図である。図１に示されるように、通信装置１０は、公衆電話網２０を介して送信端末３０、及びＬＡＮ４０を介して転送先端末５０に接続されている。
【００１２】
ここで、送信端末３０としては、少なくとも、原稿上の画像を読み取ることで画データを生成する図示せぬ読取手段と、生成した画データをファクシミリ画として通信装置１０に送信するために、送信先の電話番号や、各種設定項目の入力を受付ける入力手段と、入力手段を介して受け付けた送信先に対し、公衆電話網２０を介してファクシミリ画を送信するファクシミリ通信手段とを有するファクシミリ装置等を用いることができる。
【００１３】
また、転送先端末５０としては、少なくとも、ＬＡＮ４０を介して通信装置１０から転送された、後述する電子ファイルを含む電子メールの取得が可能な電子メール取得手段と、取得した電子メールの閲覧が可能な電子メール閲覧手段とを有するパーソナルコンピュータ等を用いることができる。
【００１４】
送信端末３０、又は転送先端末５０との間において、データの送受信が可能となるように構成された通信装置１０は、操作部１０１と、受信画記憶領域としての受信画記憶部１０２と、受信手段としての公衆電話回線制御部１０３と、暗号化パスワード生成手段としての暗号化パスワード生成部１０４と、フォーマット変換手段としてのフォーマット変換部１０５と、転送手段としての電子メール生成部１０６、ＬＡＮ制御部１０７とを備える。
【００１５】
操作部１０１は、例えば、タッチパネルや操作ボタン等を有し、ユーザからの入力を受付ける入力手段と、ユーザによる入力結果や、装置状態を表示するための、例えば、ＬＣＤ（Liquid Crystal Display）等を有する表示手段とを備える。
【００１６】
受信画記憶部１０２は、例えば、ＲＡＭ（Random Access Memory）や、ＨＤＤ（Hard Disk Drive）といった記憶手段を有し、固有の識別子により識別される複数の親展ボックスを保持する。なお、親展ボックスについては後述する。
【００１７】
公衆電話回線制御部１０３は公衆電話網２０を介しての送信端末３０とのファクシミリ通信を制御し、送信端末３０から送信されるファクシミリ画と、固有の識別子と、ファクシミリ画に関する蓄積パスワードと、該蓄積パスワードとは異なる閲覧パスワードとを受信する。なお、蓄積パスワードとは親展ボックス内の受信画記憶領域に対するファクシミリ画の受信画としての記憶の可否を定めるパスワードである。このような蓄積パスワードは、ファクシミリ画を受信するユーザ（以下、受信ユーザと称する）により予め設定され、同じ親展ボックス内の所定の領域に記憶されている。また、蓄積パスワードは、通信装置１０に対してファクシミリ画を送信するユーザ（以下、送信ユーザと称する）に対して予め通知されている。そして、閲覧パスワードとは、送信ユーザによって設定され、転送先端末５０において取得した電子メールに添付された受信画に基づく電子ファイルの閲覧の可否を定めるパスワードである。
【００１８】
暗号化パスワード生成部１０４は、蓄積パスワード、閲覧パスワード、後述する利用パスワードを用いて暗号化パスワードを生成する。
【００１９】
フォーマット変換部１０５は、暗号化パスワードを用いて受信画を暗号化すると共に、ＰＤＦ（Portable Document Format）形式の電子ファイルに変換する。
【００２０】
電子メール生成部１０６は、フォーマット変換部１０５により変換されて得られた電子ファイルを含む電子メールを生成する。
【００２１】
ＬＡＮ制御部１０７は、電子メール生成部１０６により生成された電子メールをＬＡＮ４０（ＴＣＰ／ＩＰ通信）を介して転送先端末５０に送信する。
【００２２】
次に、受信画記憶部１０２の構成について図２に示すブロック図を用いて説明する。前述したように、受信画記憶部１０２は、複数の親展ボックス２０１を保持する。親展ボックス２０１は、固有の識別子を記憶する領域である識別子２０２と、該親展ボックス２０１に蓄積される受信画に関する蓄積パスワードを記憶する領域である蓄積パスワード２０３と、該親展ボックス２０１に蓄積される受信画に関する利用パスワードを記憶する領域である利用パスワード２０４と、該親展ボックス２０１に蓄積された受信画の転送宛先を記憶する領域である転送宛先２０５と、受信画を記憶し蓄積する領域である受信画記憶領域２０６と、該親展ボックス２０１に蓄積された受信画を暗号化する上で、暗号化パスワードを生成するためのパスワードの組み合わせに関する情報を記憶する領域であるパスワードの組み合わせ設定２０７とを備える。なお、利用パスワード２０４とは、親展ボックス２０１の開設者（所有者）によってその開設時に設定され、開設者（所有者）が親展ボックス２０１に蓄積された受信画の印刷や転送を許可するか否かの判断に用いられるパスワードである。
【００２３】
ここで、パスワードの組み合わせ設定２０７について図３に示すブロック図を用いて説明する。図３に示すように、パスワードの組み合わせ設定２０７には、蓄積パスワード使用設定３０１と、利用パスワード使用設定３０２と、閲覧パスワード使用設定３０３とが含まれる。
【００２４】
蓄積パスワード使用設定３０１は、該親展ボックスに蓄積された受信画を暗号化する上で、暗号化パスワードを生成する際に蓄積パスワードを使用するか否かに関する情報を保持する。利用パスワード使用設定３０２は、該親展ボックスに蓄積された受信画を暗号化する上で、暗号化パスワードを生成する際に利用パスワードを使用するか否かに関する情報を保持する。閲覧パスワード使用設定３０３は、該親展ボックスに蓄積された受信画を暗号化する上で、暗号化パスワードを生成する際に閲覧パスワードを使用するか否かに関する情報を保持する。
【００２５】
次に、本実施形態に係る動作について説明する。まず、送信端末３０における送信動作について図４のフローチャートを用いて説明する。
【００２６】
まず、ステップＳ４０１において、送信ユーザは、図示せぬ入力手段を用いて、受信端末としての通信装置１０の電話番号を入力する。
【００２７】
次に、送信ユーザは、図示せぬ入力手段を用いて、受信端末の親展ボックス２０１の識別子を入力する（ステップＳ４０２）。
【００２８】
さらに、送信ユーザは、図示せぬ入力手段を用いて、受信端末の親展ボックス２０１の蓄積パスワードを入力すると共に（ステップＳ４０３）、発信元情報として受信端末の親展ボックス２０１の閲覧パスワードを入力する（ステップＳ４０４）。
【００２９】
そして、送信ユーザは、図示せぬ読取手段を用いて、原稿上の画像を読み取らせ画データを生成させ、図示せぬファクシミリ通信手段を用いて、生成した画データをファクシミリ画として公衆電話網２０を介して通信装置１０に送信させる（ステップＳ４０５）。このとき、ファクシミリ通信手段は、上記ステップＳ４０２乃至ステップＳ４０４において入力を受け付けた識別子、蓄積パスワード、及び閲覧パスワードについてもファクシミリ通信コマンドに準じて送信する。なお、前述したように、送信ユーザにより入力される蓄積パスワードは、受信ユーザにより予め通知されているものであり、閲覧パスワードは、受信ユーザとの間で予め取り決められているものとする。
【００３０】
次に、受信端末たる通信装置１０における受信動作について図５のフローチャートを用いて説明する。
【００３１】
公衆電話回線制御部１０３は送信端末３０からの着呼を検出すると（ステップＳ５０１  Ｙｅｓ）、ファクシミリ通信を開始する。
【００３２】
そして、公衆電話回線制御部１０３は、ＩＴＵ−Ｔ．３０で示されるＳＵＢ（Subaddress）コマンドに準じて受信した内容を、受信画記憶部１０２における各親展ボックス２０１の識別子２０２に記憶された識別子と照合照合する。ここで、ＳＵＢコマンドの準じて受信した内容が、何れかの親展ボックス２０１の識別子と一致した場合（ステップＳ５０２  Ｙｅｓ）、公衆電話回線制御部１０３は、さらに、ＩＴＵ−Ｔ．３０で示されるＳＩＤ（Sender Identification）コマンドに準じて受信した内容を、受信画記憶部１０２における親展ボックス２０１の蓄積パスワード２０３に記憶された蓄積パスワードと照合する。
【００３３】
ここで、ＳＩＤコマンドの準じて受信した内容が、親展ボックス２０１の蓄積パスワードと一致した場合（ステップＳ５０３  Ｙｅｓ）、公衆電話回線制御部１０３は、ＩＴＵ−Ｔ．３０で示されるＴＳＩ（Transmitting Subscriber Identification）コマンドに準じて受信した内容を閲覧パスワードとする（ステップＳ５０４）。
【００３４】
次に、公衆電話回線制御部１０３は、ファクシミリ画受信フェースに移行し、送信端末３０から送信されたファクシミリ画を受信し、受信したファクシミリ画を識別子が関連付けられた親展ボックス２０１の受信画記憶領域２０６に受信画として蓄積させる（ステップＳ５０５）。
【００３５】
なお、ＳＵＢコマンドの準じて受信した内容が、何れかの親展ボックス２０１の識別子と一致ない場合（ステップＳ５０２  Ｎｏ）、又はＳＩＤコマンドの準じて受信した内容が、親展ボックス２０１の蓄積パスワードと一致しない場合（ステップＳ５０３  Ｎｏ）、公衆電話回線制御部１０３による処理は終了する。
【００３６】
受信画の蓄積後、公衆電話回線制御部１０３は、識別子が関連付けられた親展ボックス２０１の転送宛先２０５に記憶されている内容が空であるか否かを判定する。ここで、転送宛先２０５に記憶されている内容が空である場合（ステップＳ５０６  Ｎｏ）、公衆電話回線制御部１０３による処理は終了する。
【００３７】
一方、転送宛先２０５に記憶されている内容が空ではない場合（ステップＳ５０６  Ｙｅｓ）、公衆電話回線制御部１０３はその旨を暗号化パスワード生成部１０４に通知する。通知を受けた暗号化パスワード生成部１０４あ、暗号化パスワードを生成し（ステップＳ５０７）、フォーマット変換部１０５に出力する。
【００３８】
フォーマット変換部１０５は、親展ボックス２０１の受信画記憶領域２０６に蓄積された受信画を、暗号化パスワード生成部１０４により生成された暗号化パスワードを用いて、２５６ビットＡＥＳ（Advanced Encryption Standard）により暗号化すると共に、該受信画をＰＤＦ形式の電子ファイルに変換し（ステップＳ５０８）、電子メール生成部１０６に出力する。
【００３９】
電子メール生成部１０６は、コンピュータ利用者間で交換されるテキストメッセージを規定するＲＦＣ８２２，ＲＦＣ２８２２，ＲＦＣ５３２２に示された電子メール形式、及びコンピュータ利用者間で交換されるマルチメディアメッセージのフォーマットを規定するＲＦＣ２０４５，ＲＦＣ２０４６，ＲＦＣ２０４７，ＲＦＣ４２８８，ＲＦＣ２０４８に示されたＭＩＮＥ形式にしたがって、転送宛先を送信宛先として、ＰＤＦ形式に変換された電子ファイルを含む電子メールを生成し（ステップＳ５０９）、ＬＡＮ制御部１０７に出力する。
【００４０】
ＬＡＮ制御部１０７は、電子メール生成部１０６により生成された電子メールを、電子メールを転送するための通信プロトコルを規定するＲＦＣ８２１，ＲＦＣ２８２１，ＲＦＣ５３２１に示された電子メール通信プロトコルＳＭＴＰ（Simple Mail Transfer Protocol）に従って送信する（ステップＳ５１０）。
【００４１】
図６は、図５のステップＳ５０７における、暗号化パスワード生成部１０４による暗号化パスワードの生成動作を説明するフローチャートである。
【００４２】
暗号化パスワード生成部１０４は、識別子に関連付けられたパスワードの組み合わせ設定２０７に従い、蓄積パスワード、利用パスワード、又は閲覧パスワードのうち二つを順に連結して暗号化パスワードを生成するか、若しくは蓄積パスワード、利用パスワード、及び閲覧パスワードの全てを順に連結して暗号化パスワードを生成する。
【００４３】
すなわち、暗号化パスワード生成部１０４は、パスワードの組み合わせ設定２０７を参照し、蓄積パスワードが使用されない場合には（ステップＳ６０１  Ｎｏ）、利用パスワード、閲覧パスワードの順に連結して暗号化パスワードを生成する（ステップＳ６０２）。
【００４４】
ところで、蓄積パスワードが使用されるが、（ステップＳ６０１  Ｙｅｓ）、利用パスワードが利用されない場合（ステップ６０３  Ｎｏ）、暗号化パスワード生成部１０４は、蓄積パスワード、閲覧パスワードの順に連結して暗号化パスワードを生成する（ステップＳ６０４）。
【００４５】
一方、蓄積パスワード（ステップＳ６０１  Ｙｅｓ）、及び利用者パスワード（ステップＳ６０３  Ｙｅｓ）が共に使用され、さらに閲覧パスワードも使用される場合（ステップＳ６０５  Ｙｅｓ）、暗号化パスワード生成部１０４は、蓄積パスワード、利用パスワード、閲覧パスワードの順に連結して暗号化パスワードを生成する（ステップＳ６０７）。閲覧パスワードが使用されない場合（ステップＳ６０５  Ｎｏ）、暗号化パスワード生成部１０４は、蓄積パスワード、利用パスワードの順に連結して暗号化パスワードを生成する（ステップＳ６０６）。
【００４６】
図７は、暗号化パスワード生成部１０４が、蓄積パスワード、利用パスワード、又は閲覧パスワードのうち二つを順に連結して暗号化パスワードを生成する動作を説明するフローチャートである。なお、ここで説明する動作は、図６のステップＳ６０２、ステップＳ６０４、又はステップＳ６０６の何れかの動作に該当する。また、本実施形態においては、２５６ビットＡＥＳの仕様に従い、生成される暗号化パスワードの長さを２５６ビットとし、以下の説明においては、蓄積パスワード、利用パスワード、又は閲覧パスワードは、特に限定が無い限り、単にパスワードと称して説明する。
【００４７】
まず、暗号化パスワード生成部１０４は、連結後の暗号化パスワードの長さが２５６ビットを越えるか否かを判定する。ここで、連結後の暗号化パスワードの長さが２５６ビットを越えない場合（ステップＳ７０１  Ｎｏ）、暗号化パスワード生成部１０４は、一つの目のパスワードと二つ目のパスワードとを連結する（ステップＳ７０２）。
【００４８】
一方、連結後の暗号化パスワードの長さが２５６ビットを越える場合（ステップＳ７０１  Ｙｅｓ）、暗号化パスワード生成部１０４は、一つ目のパスワードの長さの上限を１２８ビット、二つ目のパスワードの長さの上限を１２８ビットとしてそれを超える分の後端を取り除いたのち、二つのパスワードを連結する（ステップＳ７０３）。
【００４９】
そして、暗号化パスワード生成部１０４は、連結後の暗号化パスワードの長さが２５６ビット未満であるか否かを判定する。連結後の暗号化パスワードの長さが２５６ビットを越えない場合（ステップＳ７０４  Ｙｅｓ）、暗号化パスワード生成部１０４は、ＰＤＦの仕様に従い、暗号化パスワードの長さが２５６ビットに達するまで該暗号化パスワードの末尾に規定のデータを付加し処理を終了する（ステップＳ７０５）。一方、連結後の暗号化パスワードの長さが２５６ビットを越える場合（ステップＳ７０４  Ｎｏ）、暗号化パスワード生成部１０４は処理を終了する。
【００５０】
図８は、暗号化パスワード生成部１０４が、蓄積パスワード、利用パスワード、及び閲覧パスワードの全てを順に連結して暗号化パスワードを生成する動作を説明するフローチャートである。なお、ここで説明する動作は、図６のステップＳ６０７の動作に該当する。また、本実施形態においては、２５６ビットＡＥＳの仕様に従い、生成される暗号化パスワードの長さを２５６ビットとし、以下の説明においては、蓄積パスワード、利用パスワード、又は閲覧パスワードは、特に限定が無い限り、単にパスワードと称して説明する。
【００５１】
まず、暗号化パスワード生成部１０４は、連結後の暗号化パスワードの長さが２５６ビットを越えるか否かを判定する。ここで、連結後の暗号化パスワードの長さが２５６ビットを越えない場合（ステップＳ８０１  Ｎｏ）、暗号化パスワード生成部１０４は、一つの目のパスワードと二つ目のパスワードと、三つ目のパスワードとを連結する（ステップＳ８０２）。
【００５２】
一方、連結後の暗号化パスワードの長さが２５６ビットを越える場合（ステップＳ８０１  Ｙｅｓ）、暗号化パスワード生成部１０４は、一つ目のパスワードの長さの上限を８８ビット、二つ目のパスワードの長さの上限を８８ビット、三つ目のパスワードの長さの上限を８８ビット
としてそれを超える分の後端を取り除いたのち、三つのパスワードを連結する（ステップＳ８０３）。
【００５３】
そして、暗号化パスワード生成部１０４は、連結後の暗号化パスワードの長さが２５６ビット未満であるか否かを判定する。連結後の暗号化パスワードの長さが２５６ビットを越えない場合（ステップＳ８０４  Ｙｅｓ）、暗号化パスワード生成部１０４は、ＰＤＦの仕様に従い、暗号化パスワードの長さが２５６ビットに達するまで該暗号化パスワードの末尾に規定のデータを付加し処理を終了する（ステップＳ８０５）。一方、連結後の暗号化パスワードの長さが２５６ビットを越える場合（ステップＳ８０４  Ｎｏ）、暗号化パスワード生成部１０４は処理を終了する。
【００５４】
図９は、本実施形態に係る操作部１０１が、パスワードの組み合わせ設定２０７の入力を受付ける際に図示せぬ表示手段に表示させる表示画面の一例を示す図である。本実施形態に係る表示画面９００は、チェックボックス９０１と、カーソル９０２と、ＯＫボタン９０３とを備える。
【００５５】
チェックボックス９０１は、蓄積パスワード、利用パスワード、閲覧パスワードの各パスワードにおいて、暗号化パスワードの生成に上記パスワードを使用するか否かの選択を、チェックの有無で受付ける。受信ユーザは、後述するカーソル９０２を用いて所望のチェックボックス９０１を選択し、図示せぬＥＮＴＥＲキーを押下することにより、チェックの有無、すなわち、暗号化パスワードの生成に上記パスワードを使用するか否かを切り替える。
【００５６】
カーソル９０２は、表示画面９００に表示されるチェックボックス９０１、後述するＯＫボタン９０３のうち、どれが選択されているかを太枠で表示する。受信ユーザは、図示せぬカーソルキーを押下することによりカーソル９０２を移動させ、チェックボックス９０１やＯＫボタン９０３を選択する。
【００５７】
ＯＫボタン９０３は、受信ユーザによる入力を確定させる。受信ユーザは、カーソル９０２を用いてＯＫボタン９０３を選択し、図示せぬＥＮＴＥＲボタンを押下することで、入力されたパスワードの組み合わせ設定を確定させる。図示せぬＥＮＴＥＲボタンの押下を受け、入力されたパスワードの組み合わせの設定は、受信画記憶部１０２のパスワードの組み合わせ設定２０７に反映される。
【００５８】
上記表示画面９００を介してのパスワードの組み合わせ設定の入力を受けての動作について図１０のフローチャートを用いて説明する。
【００５９】
まず、パスワードの組み合わせ設定２０７の蓄積パスワード使用設定３０１、利用パスワード使用設定３０２、又は閲覧パスワード使用設定３０３において、暗号化パスワードを生成する際に該パスワードを使用する旨の情報が保持されていた場合、操作部１０１は図示せぬ表示装置を介して対応するチェックボックス９０１にチェックと共に表示させ、そうではない場合は対応するチェックボックス９０１にチェック無しで表示させる（ステップＳ１００１）。
【００６０】
次に、操作部１０１は、何れかのチェックボックス９０１が選択され、図示せぬＥＮＴＥＲボタンの押下を受けると（ステップＳ１００２  Ｙｅｓ）、該チェックボックス９０１に既にチェックが有る場合はチェックを非表示とし、チェックが無い場合はチェックを表示させる（ステップＳ１００３）。
【００６１】
一方、何れかのチェックボックス９０１が選択されず、図示せぬＥＮＴＥＲボタンも押下されない場合（ステップＳ１００２  Ｎｏ）、操作部１０１はＯＫボタン９０３が選択され、図示せぬＥＮＴＥＲボタンが押下されたか否かを確認する。ここで、Ｋボタン９０３が選択され、図示せぬＥＮＴＥＲボタンが押下された場合（ステップＳ１００４  Ｙｅｓ）、操作部１０１は、全てのチェックボックス９０１のチェックの有無を確認する。
【００６２】
蓄積パスワード、利用パスワード、閲覧パスワードのうち、二つ以上のチェックボックス９０１にチェックが有る場合（ステップＳ１００５  Ｙｅｓ）、操作部１０１は、暗号化パスワードを生成する際に該パスワードを使用すること、及びチェックが無いパスワードについては暗号化パスワードの生成の際に該パスワードを使用しないこと、を意味する旨の情報を蓄積パスワード使用設定３０１、利用パスワード設定３０２、及び閲覧パスワード使用設定３０３のそれぞれに保持させる（ステップＳ１００６）。また、蓄積パスワード、利用パスワード、閲覧パスワードのうち、二つ以上のチェックボックス９０１にチェックが無い場合（ステップＳ１００５  Ｎｏ）、操作部１０１は図示せぬ表示装置を介して警告画面を表示させ、二つ以上のチェックボックス９０１にチェックを付するよう再入力を促す（ステップＳ１００７）。
【００６３】
図１１は、これまでに説明した動作に基づき、蓄積パスワードが「０１０２０３」、利用パスワードが「ａＢｃｄｅＦｖｖｗｗｘｘｙｙｚｚ」、閲覧パスワードが「９８７６５４３２１７６５４３２１」の場合において、蓄積パスワード使用設定３０１が「蓄積パスワードを暗号化パスワード生成に使用しない」、利用パスワード使用設定３０２が「利用パスワードを暗号化パスワード生成に使用する」、閲覧パスワード使用設定３０３が「閲覧パスワードを暗号化パスワード生成に使用する」とした場合に、暗号化パスワード生成部１０４により生成される暗号化パスワード「ａＢｃｄｅＦｖｖｗｗｘｘｙｙｚｚ９８７６５４３２１７６５４３２１」の例を示すものである。
【００６４】
図１２は、本実施形態に係る各部での入力データと出力データとの関係を表すデータフローである。
【００６５】
これまでに説明したように、受信画記憶部１０２は、送信端末３０から送信されたファクシミリ画と親展ボックスの識別子とを入力データとし、受信画と利用パスワードとを出力データとする。暗号化パスワード生成部１０４は、蓄積パスワードと、利用パスワードと、閲覧パスワードとを入力データとし、暗号化パスワードを出力データとする。そして、フォーマット変換部１０５は、受信画と暗号化パスワードとを入力データとし、ＰＤＦ形式の電子ファイルを出力データとする。電子メール生成部１０６は、ＰＤＦ形式の電子ファイルを入力データとし、該電子ファイルを添付した電子メールを転送先端末５０に対する出力データとする。
【００６６】
以上のように、第１の実施形態によれば、受信画をＬＡＮを介して所定の宛先に転送する際に、受信ユーザが予め設定したパスワード、及び送信ユーザが任意に設定するパスワードのうち、任意の二つ以上の組み合わせを用いて暗号化パスワードを生成することができるため、転送された後もファクシミリ画の機密性を維持することが可能となる。
【００６７】
本実施形態では、蓄積パスワードを知らない送信ユーザは、進展ボックスに対して送信することができたない。したがって、蓄積パスワードを設けることで、例えば、親展ボックスに無断で広告ファックス等を送りつけるような行為を防止することができる。また、暗号化された電子ファイルが添付された電子メールの転送を受けた者が閲覧パスワードを知らないと、該電子ファイルを閲覧することができない。したがって、閲覧パスワードを設けることで、メールシステムの不具合等により意図しない者に対して該電子ファイルが添付された電子メールが誤って転送されたとしても、これを取得した者が該電子ファイルを閲覧することを防止することができる。さらに、本願発明に係る利用パスワードは、通常、親展ボックスの開設者（持ち主）以外の利用者がその親展ボックスの受信画を利用することを防止するために用いられる。そして、本願発明では、利用パスワードを暗号化パスワードとして使用することができるため、メールシステムの不具合等ににより意図しない者に対して該電子ファイルが添付された電子メールが誤って転送され、これを取得し、かつ、送信ユーザが閲覧パスワードを添付して送信した場合、又は送信ユーザが非常に推測しやすい閲覧パスワードを付して送信した場合においても、利用パスワードにより暗号化された電子ファイルを保護することができるため、これを取得した者による電子ファイルの閲覧を防止することができる。
【００６８】
［第２の実施形態］
第２の実施形態に係る通信装置の構成は、第１の実施形態に係る通信装置の構成と略同一である。したがって、本実施形態の説明においては、同じ構成、動作については同じ符号を付してその説明を省略する。
【００６９】
第２の実施形態に係る通信装置の受信動作は、図５で説明した、第１の実施形態に通信装置１０の受信動作と略同一であるが、ステップＳ５０９における、電子メールの作成に関する動作が第１の実施形態とは異なる。以下に、第２の実施形態に係る電子メールの作成に関する動作について説明する。
【００７０】
ステップＳ５０９において、暗号化パスワード生成部１０４は、蓄積パスワードと利用パスワードと閲覧パスワードとを暗号化パスワードの生成に使用したか否か、及び使用したバイト数を電子メール生成部１０６に出力する。そして、電子メール生成部１０６は、該バイト数を電子メール本文に記載する。
【００７１】
図１３は、本実施形態において、暗号化パスワードの生成に使用された蓄積パスワードについての情報を電子メール本文に記載する動作を説明するフローチャートである。
【００７２】
まず、電子メール生成部１０６は、暗号化パスワード生成部１０４により入力された情報に基づき、蓄積パスワードが暗号化パスワードの生成に使用されたか否かを判定する。
【００７３】
ここで、蓄積パスワードが暗号化パスワードの生成に使用されなかった場合（ステップＳ１３０１  Ｎｏ）、電子メール生成部１０６は、電子メール本文に「Ｐａｓｓｗｏｒｄ＃１：Ｎｏ」と記載する（ステップＳ１３０２）。一方、蓄積パスワードが暗号化パスワードの生成に使用された場合（ステップＳ１３０１  Ｙｅｓ）、電子メール生成部１０６は、暗号化パスワードの生成の過程で蓄積パスワードの後端が取り除かれたか否かを判定する。暗号化パスワードの生成の過程で蓄積パスワードの後端が取り除かれなかった場合（ステップＳ１３０３  Ｎｏ）、電子メール生成部１０６は、電子メール本文に「Ｐａｓｓｗｏｒｄ＃１：Ｙｅｓ」と記載する（ステップＳ１３０４）。一方、暗号化パスワードの生成の過程で蓄積パスワードの後端が取り除かれた場合（ステップＳ１３０３  Ｙｅｓ）、電子メール生成部１０６は、電子メール本文に「Ｐａｓｓｗｏｒｄ＃１：」に続けて、暗号化パスワードの生成に使用された蓄積パスワードのバイト数を記載する（ステップＳ１３０５）。
【００７４】
なお、電子メール生成部１０６は、蓄積パスワード以外にも、利用パスワード、及び閲覧パスワードについて、図１３に示すフローチャートと同様な動作を実行し、電子メール本文に記載する。ただし、利用パスワードの場合、ステップＳ１３０２、ステップＳ１３０４、ステップＳ１３０５における文字列「Ｐａｓｓｗｏｒｄ＃１」の代わりに「Ｐａｓｓｗｏｒｄ＃２」を、閲覧パスワードの場合、「Ｐａｓｓｗｏｒｄ＃１」の代わりに「Ｐａｓｓｗｏｒｄ＃３」を使用するものとする。
【００７５】
図１４は、電子メール本文に記載された蓄積パスワード、利用パスワード、及び閲覧パスワードに関する情報の例を示す図である。この例においては、「Ｐａｓｓｗｏｒｄ＃１」で始まる行は、暗号化パスワードの生成に蓄積パスワードが使用されたことを表し、「Ｐａｓｓｗｏｒｄ＃２」で始まる行は、暗号化パスワードの生成に利用パスワードが使用されたことを表し、「Ｐａｓｓｗｏｒｄ＃３」で始まる行は、暗号化パスワードの生成に閲覧パスワードが使用されたことを表す。なお、図１４に示された電子メール本文のあとに、フォーマット変換部１０５により変換されて生成した電子ファイルを表すＭＩＭＥが付加されるが、当該ＭＩＭＥパートの記載形式は、ＲＦＣ２０４５、ＲＦＣ２０４６、ＲＦＣ２０４７、ＲＦＣ４２８８、ＲＦＣ２０４９に示されるものである。
【００７６】
図１５は、本実施形態に係る各部での入力データと出力データとの関係を表すデータフローである。
【００７７】
これまでに説明したように、受信画記憶部１０２は、送信端末３０から送信されたファクシミリ画と親展ボックスの識別子とを入力データとし、受信画と利用パスワードとを出力データとする。暗号化パスワード生成部１０４は、蓄積パスワードと、利用パスワードと、閲覧パスワードとを入力データとし、暗号化パスワードと、蓄積パスワード、利用パスワード、又は閲覧パスワードが暗号化パスワードの生成に使用されたか否かに関する旨と、使用されたバイト数とを出力データとする。そして、フォーマット変換部１０５は、受信画と暗号化パスワードとを入力データとし、ＰＤＦ形式の電子ファイルを出力データとする。電子メール生成部１０６は、ＰＤＦ形式の電子ファイルと、蓄積パスワード、利用パスワード、又は閲覧パスワードが暗号化パスワードの生成に使用されたか否かに関する旨と、使用されたバイト数とを入力データとし、該電子ファイルを添付した電子メールを転送先端末５０に対する出力データとする。
【００７８】
以上のように、第２の実施形態によれば、パスワードの組み合わせ設定２０７の内容と、蓄積パスワード、利用パスワード、又は閲覧パスワードの後端が取り除かれて暗号化パスワードが生成された場合にはその旨と、使用されたバイト数とが電子メール本文に記載されるため、第１の実施形態の効果に加え、転送されたファクシミリ画を復号化し閲覧する際に、パスワードを知る正当な閲覧者に対し、より利便性を高めることができる。
【符号の説明】
【００７９】
１０  通信装置
２０  公衆電話網
３０  送信端末
４０  ＬＡＮ
５０  転送先端末
１０１  操作部
１０２  受信画記憶部
１０３  公衆電話回線制御部
１０４  暗号化パスワード生成部
１０５  フォーマット変換部
１０６  電子メール生成部
１０７  ＬＡＮ制御部
【図１】
2014007512.tif 000003
【図２】
2014007512.tif 000004
【図３】
2014007512.tif 000005
【図４】
2014007512.tif 000006
【図５】
2014007512.tif 000007
【図６】
2014007512.tif 000008
【図７】
2014007512.tif 000009
【図８】
2014007512.tif 000010
【図９】
2014007512.tif 000011
【図１０】
2014007512.tif 000012
【図１１】
2014007512.tif 000013
【図１２】
2014007512.tif 000014
【図１３】
2014007512.tif 000015
【図１４】
2014007512.tif 000016
【図１５】
2014007512.tif 000017